(57)【要約】  雌端子と電気接触するように適合された接触表面を有する接合部（１）を備える、金属薄板で形成された雄電気端子（１０）。該接合部（１）は、第一及び第二雌端子接触表面と電気接触する第一及び第二継ぎ目無し片を備える。該雄端子は、継ぎ目（１７Ａ、１７Ｂ、１７）を有し、該継ぎ目は、縦軸（ｘ）と平行である該接合部内に接合部継ぎ目（１７Ａ）を備え、該接合部継ぎ目（１７Ａ）は、該接合部の接触表面に対して垂直である側部（１４、１５）のいずれか一方に位置する。
2013537697.tif 000002
【特許請求の範囲】
【請求項１】
ハウジングの中に挿入されるよう設計され、かつ一枚の金属薄板を折り曲げることによって形成される雄電気端子（１０）であって、該雄端子は縦軸（Ｘ）にほぼ沿って延び、
該ハウジングと相互作用するよう適合された固定手段を備える、位置決め部（５１）と、
接合部（１）であって、該接合部が雌端子に挿入又は接合されるとき、雌端子の二つの表面とそれぞれ電気接触するように適合された、二つのほぼ平行の接触表面を有する接合部（１）とを備え、
該接合部（１）は、該接触表面上には位置しない折り曲げられた該金属薄板の二つの折り曲げ部分の間に、接合部継ぎ目を有することを特徴とする雄電気端子。
【請求項２】
前記接合部継ぎ目（１７Ａ）は、前記接触表面に隣接する側部（１４又は１５）に位置することを特徴とする請求項１に記載の端子。
【請求項３】
前記位置決め部（５１）は、折り曲げられた前記金属薄板の二つの折り曲げ部分の間に、位置決め部継ぎ目（１７Ｃ）を有し、該金属薄板は、接合部継ぎ目（１７Ａ）を備える前記側部に対してほぼ垂直である面に位置していることを特徴とする請求項２に記載の端子。
【請求項４】
折り曲げられた前記金属薄板の二つの折り曲げ部分の間に移行部継ぎ目（１７Ｂ）を有する、移行部（２）を備え、該金属薄板は、接合部継ぎ目（１７Ａ）を備える前記側部に対してほぼ垂直である面に位置していることを特徴とする請求項２または３に記載の端子。
【請求項５】
前記移行部継ぎ目（１７Ｂ）は、前記接合部（１）及び位置決め部（５１）の間を延び、該接合部の断面とほぼ同じである、ほぼ一定の断面を有する末端部にわたっていることを特徴とする請求項４に記載の端子。
【請求項６】
前記移行部継ぎ目（１７Ｂ）は、縦軸（Ｘ）と垂直である横断部（１７Ｔ）を備えることを特徴とする請求項５に記載の端子。
【請求項７】
合わせ断面に対応するテーパー部（２５）であって、この合わせ断面の表面は、該位置決め部から、接合部１の断面とほぼ同じ断面を有する移行部の部分にかけて縮小するテーパー部（２５）を備え、該テーパー部は、折り曲げられた前記金属薄板の二つの折り曲げ部分の間に継ぎ目を有し、該金属薄板は、接合部継ぎ目（１７Ａ）を備える前記側部に対してほぼ垂直である面に位置していることを特徴とする請求項２から６のいずれか一項に記載の端子。
【請求項８】
前記接合部（１）は、
第一片幅（Ｗ１）を有し、第一雌端子表面と電気接触するよう適合された、第一継ぎ目無し片（１１）と、
雄端子幅（Ｗ１）に対応する第二片幅を有し、第一継ぎ目無し片と対向し、第二雌端子表面と電気接触するよう適合された、第二継ぎ目無し片（１２）と、
第一および第二継ぎ目無し片（１１、１２）の間に挟まれた第三金属片（１３）とを、
備えることを特徴とする請求項１から７のいずれか一項に記載の端子。
【請求項９】
第一、第二、第三金属片はほぼ平面で、ほぼ一定の厚さと、ほぼ同じ厚さを有することを特徴とする請求項８に記載の端子。
【請求項１０】
第三金属片の部分（１３Ｂ）が、移行部（２）内を延びていることを特徴とする請求項８又は９に記載の端子。
【請求項１１】
一枚の金属薄板から形成された雄電気端子（１０）であって、
電線連結部（５２）と、
位置決め部（５１）と、
接合部（１）であって、接合する雌端子に属する平行な第一及び第二雌端子表面の間に挟まれることにより、対応し接合する雌端子と電気接触するように適合された接合部（１）とを備え、
前記接合部（１）は、縦軸（Ｘ）にそって延び、上部表面（３１）と、底部表面（３２）と、側部（１４，１５）とを備え、雄端子幅（Ｗ１）と雄端子厚さ（Ｅ１）を規定する、縦軸（Ｘ）と垂直の断面を有し、
前記接合部（１）は、接合部幅（Ｗ１）に対応する第一片幅を有しかつ前記第一雌端子表面を圧迫するように適合された第一継ぎ目無し片（１１）と、接合部幅（Ｗ１）と対応する第二片幅を有しかつ第一継ぎ目無し片に対向し第二雌端子表面に圧迫するように適合された第二継ぎ目無し片（１２）とを有し、
前記雄電気端子は継ぎ目（１７Ａ，１７Ｂ、１７）を有し、
前記継ぎ目は、接合部において、縦軸（Ｘ）に対して平行であり、側部（１４、１５）のいずれかに位置する、接合部継ぎ目（１７Ａ）を備え、
前記位置決め部（５１）は、第一継ぎ目無し片に平行な底面と上面を備え、前記継ぎ目は位置決め部（５１）の上面に位置する位置決め部継ぎ目（１７Ｃ）を備え、
前記継ぎ目は、接合部継ぎ目から位置決め部継ぎ目まで延びる移行部継ぎ目（１７Ｂ）を備え、
前記接合部（５１）は、固定窓（９）及び／又は固定脚部を備え、前記継ぎ目（１７）の前記位置決め部継ぎ目（１７Ｃ）は、該固定窓（９）と交差することを特徴とする雄電気端子。
【請求項１２】
連結片及び請求項１から１１のいずれか一項に記載の連結片と複数の端子を備える製品であって、該端子は該連結片に機械的に取り付けられている製品。
【請求項１３】
電気端子の組立品であって、
請求項１から１０のいずれか一項に記載の雄端子と、
接合部（１）の第一及び第二接触表面とそれぞれ電気接触するよう適合された第一及び第二雌端子表面（４１、４２）を有する、対応し接合する雌端子（４）と、
を備える電気端子の組立品。
【請求項１４】
雄電気端子を製造する方法であって、該方法は、
縦軸（Ｘ）に沿って延び、かつ請求項１から１０のいずれか一項に記載の雄電気端子を形成すべく変形させられるよう適合された少なくとも一つの端子パターンを有する、単一の金属薄板（２０）を準備する段階と、
接触表面には位置しない、折り曲げられた金属薄板の二つの折り曲げ部分の間に継ぎ目があるように該金属薄板を折り曲げる段階を
備えることを特徴とする雄電気端子を製造する方法。
【発明の詳細な説明】
【技術分野】
【０００１】
本発明は雄電気端子及び該雄電気端子を製造する方法に関する。
【背景技術】
【０００２】
雄電気コネクターは、通常、相補う雌電気端子と接合するように適合された、一つ又は複数の雄端子接合組立品を収容する絶縁ハウジングを備えている。
【０００３】
特に、自動車用途においては、コネクターは振動に曝され、この振動はときに、該コネクターに連結された電気ケーブルとの振動共鳴により増幅されることがある。自動車の寿命にとって、該雌端子に属する端子表面と、該雄端子に属する端子表面との間の電気接触を高品質に保つことは、最優先の重要性を持っている。
【０００４】
そうした端子においては、その電気接続の性能を低下させることなく、雄／雌端子組立品のサイズを小さくすることもまた求められている。
【０００５】
通常、自動車用途においては、雄電気端子は、任意の適した手段によって、電線に圧着、はんだ付け、又は取り付けるよう適合された電線接続部分を備えている。そのような雄端子はまた、通常、雄電気端子を、周囲ハウジングの中へ正しく配置しかつ固定するよう適合された位置決め部を備える。さらに、そのような雄端子は、対応し接合する雌端子と電気的に接触するよう適合された接合部を備える。
【０００６】
そうした雄電気端子は、所望の形状と目的の寸法を得るために変形させられた金属薄板から得ることが可能である。
【発明の概要】
【発明が解決しようとする課題】
【０００７】
本発明の課題は、電流性能が改良され、かつ該位置決め部の幾何的条件にも適合する雄電気端子を提供することである。
【課題を解決するための手段】
【０００８】
好ましい実施形態によれば、本発明は、ハウジングに挿入されるように設計された雄電気端子を提供する。該雄電気端子は、該ハウジングと相互作用するように適合された固定手段を有する位置決め部を備える。
【０００９】
該雄電気端子は、一枚の金属薄板から形成される。該雄電気端子はほぼ縦軸に沿って延びている。該端子は、位置決め部と接合部を備える。
【００１０】
該接合部は、雄端子と雌端子との接合工程において電気接触をすることになる、雄端子の部分であると定義される。
【００１１】
該接合部は、上記接合工程の際、該雌端子の二つの表面とそれぞれ電気接触するよう適合された、二つのほぼ平行な接触表面を有する。
【００１２】
該接合部は、該接触表面には位置していない、折り曲げられた金属薄板の二つの折り曲げ部分の間に、接合部継ぎ目を有する。
【発明の効果】
【００１３】
上記の特徴により、電流性能を改良し、かつ該位置決め部の幾何的要求にも適合することが可能となる。実際に、上記の折曲工程により、結合部は、時に「継ぎ目」とも呼称されることもあるが、折り曲げられた金属薄板の二つの領域又は部分の間に、溝又は別の種類の凹凸表面を作り出す。そのような継ぎ目は、時間の経過とともに、電気接続に有害な接触不良を引き起こす可能性がある。本発明は、該位置決め部の幾何的条件にも適合する可能性を維持しつつ、かつ接触表面からこのような継ぎ目を排除するものである。
【００１４】
本発明のその他の態様によると、本発明は、上記のような雄電気端子を製造する方法を目的としている。
【００１５】
さらに、本発明のその他の態様によると、本発明は、上記に規定した複数の雄電気端子の金属片に沿った組立品を目的としている。
【００１６】
その他の実施形態において、従属する請求項に規定された複数の特徴のうち一つ又は複数を用いることも可能である。
【００１７】
本発明のその他の特徴及び利点は、非限定的な例として示される、複数の実施例の後述する記載及び添付の図面から容易に示される。
【図面の簡単な説明】
【００１８】
【図１】本発明の実施例による雄電気端子の斜視図である。
【図２Ａ】図１の線IIAからみた、図１に記載の端子を示す断面図である。
【図２Ｂ】図１の線IIBからみた、図１に記載の端子を示す断面図である。
【図３】図１に記載の端子を形成するように適合された、単一の型打ちされた金属薄板の斜視図である。
【図４Ａ】図１及び図３の線IVAからみた、図１に記載の端子を製造する方法を示す略断面図である。
【図４Ｂ】図１及び図３の線IVBからみた、図１に記載の端子を製造する方法を示す略断面図である。
【図４Ｃ】図１及び図３の線IVCからみた、図１に記載の端子を製造する方法を示す略断面図である。
【図５】図１に記載の実施例の変形例を示す、図４Aと同様の略断面図である。
【図６】図１に記載の端子の、複数の端子の組立品を示した図である。
【図７】図１に記載の雄端子と、対応する雌端子との組立品の部分断面図である。
【発明を実施するための形態】
【００１９】
図１は、ほぼ縦軸（X）に沿って延びる雄電気端子１０を示す。該端子は電線６（仮想線にて図示）を受容するのに適合された電線圧着部５２を備え、この電線６は、本技術分野においては周知のためここでは詳細に記載しないが、電線圧着部５２の中に圧着されうるものである。電線圧着部５２は、電線６の金属芯の周囲を圧着するように適合された第一脚部５４と、電線６の絶縁層の周囲を圧着するよう適合された第二脚部５５を備える。
【００２０】
該端子はまた、縦軸（X）に沿って電線圧着部５２から延びている位置決め部５１を備えている。この位置決め部５１は、取り付け結合部５６によって電線圧着部５２に連結されている。圧着部５２は、縦軸（X）に対して垂直となる断面を有し、この断面は、上面２１、上面２１に平行しかつ対向する底面２２、側面２３及び２４を有する、ほぼ長方形の形状を有している（図４Cに図示）。側面２３及び２４は、上面２１と底面２２に対して垂直であり、かつ隣接している。位置決め部５１はさらに、固定手段を備え、その実例が、上面２１に開口する固定窓９である。位置決め部５１は、雄電気端子１０を周囲ハウジング（図示せず）内に正しく配置し、固定するよう適合されている。
【００２１】
該端子はさらに、対応する雌端子４（図７に部分的に図示）と、電気的に接合及び接続するよう適合された接合部１を備える。該接合部は、縦軸（X）に沿って延び、位置決め部５１の上面２１と平行にある上部接触表面３１と、上部表面３１と対向する底部接触表面３２と、上部表面３１と底部表面３２とに隣接する側部１４、１５とを、備える。該接合部は、縦軸（X）に対して垂直の断面を有し、この断面は、雄端子幅W1と雄端子厚さE1を規定している（図２A参照）。
【００２２】
該端子はさらに、縦軸（X）に沿って、位置決め部５１と接合部１の間を延びる移行部２を備える。移行部２は、テーパー部２５を有する位置決め部５１の対応する端と隣接する第一端を有する。テーパー部２５は、該第一端から、接合部１の断面とほぼ同じ断面を有する移行部の部分にかけて縮小する表面を持つ、合わせ断面を有する。
【００２３】
図１、図２A、図２B及び図７を参照すると、接合部１は、第一継ぎ目無し片１１と第二継ぎ目無し片１２を備える。該第一及び第二継ぎ目無し片は、ともに接合部幅W1に相当する幅W1を有する。該第一及び第二継ぎ目無し片は、雌端子４の第一雌端子表面４１及び第二雌端子表面４２に圧迫しかつ接触するようにそれぞれ適合された表面を形成する。第二継ぎ目無し片は、第一継ぎ目無し片１１と対向する。その結果、接合部１は、平行する第一雌端子表面４１と第二雌端子表面４２の間に挟まれる。
【００２４】
本実施形態では、接合部１はさらに、第一継ぎ目無し片１１と第二継ぎ目無し片１２の間に挟まれる、第三金属片１３を備える。第三金属片１３の幅は、第一継ぎ目無し片の幅W1よりも狭く、幅W1から該第一継ぎ目無し片の厚さを引いたものに相当する。
【００２５】
上記実施形態において、第一金属片１１、第二金属片１２、及び第三金属片１３は、ほぼ平面で、ほぼ一定かつ同一の厚さを有する（例示した実施例におけるE１の約三分の一）。
【００２６】
上記実施形態において、接合部１は、金属薄板（銅、アルミニウム、金属合金等）で作られている。該金属薄板は折り曲げられ、これにより、継ぎ目又は接合部（１７、１７A、１７B、１７C）が形成される。該継ぎ目は、接合部１に位置する接合部継ぎ目１７Aを備え、この接合部継ぎ目１７Aは、縦軸（X）と平行であり、かつ側部１４、１５のいづれかに位置する。
【００２７】
該継ぎ目はまた、位置決め部５１の上面２１上に位置する位置決め部継ぎ目１７Cを備える。
【００２８】
該継ぎ目はさらに、接合部継ぎ目１７Aから位置決め部継ぎ目１７Cにかけて延びる移行部継ぎ目１７Bを備える。
【００２９】
本実施形態では、移行部継ぎ目１７Bは、縦軸（X）に対して垂直の横断部１７Tを備え、この横断部１７Tは二つの端を備え、第一端は、接合部継ぎ目１７Aと隣接し、第二端は、四半円部分と隣接する。図２Bにも明瞭に図示するように、該四半円部分は、横断部１７Tと、これに続く、上面の縦方向中央線に位置する移行部継ぎ目１７Bの残りの部分を結合するものである。
【００３０】
特に図２Bに示すように、第三金属片１３の部分１３Bは、移行部２の中を、第三金属片１３の上面に位置する二つの隣接半片１８、１９の下を、テーパー部２５にかけて延びている。
【００３１】
特に図２Aに示すように、第二片１２は、C字形状の断面を有する第一湾曲側部１４によって、第一片１１に連結されており、第三片１３は、C字形状の断面を有する第二湾曲側部１５によって、第二片１２に連結されている。
【００３２】
従って、接合部１と移行部２は、テーパー部２５を除いて、重ね合わせた三枚の金属片１１、１２、１３からなる三層構造体を備える。接合部１の該三層構造体により、接合部１には良好な機械的強度が、特に屈曲力およびねじれ力に対する良好な堅牢性が備わる。該三層構造体によりさらに、雄端子１０には良好な電流性能が備わる。
【００３３】
端子表面３１、３２は、いかなる継ぎ目又は接合部を含まないため、対応する雌端子４の接触表面と接する端子表面を改良するのに有益である。
【００３４】
前述の固定窓９の代わりに、該位置決め部は、例えば、上面２１、側面２３、２４、または底面２２から突出する固定脚部など、そのほかの固定手段を有することができる。このような固定手段は、雄端子１０を適切な位置に保持するために、周囲ハウジング（図示せず）の中の相補的固定手段と係合するように適合されている。
【００３５】
位置決め部継ぎ目１７Cは、固定窓９と交差する。有利には、該継ぎ目は、上面２１の縦方向中央線に相当する。従って、位置決め部５１は、縦軸（Ｘ）を貫く垂直のＸＺ平面と平行の対称面を有する。
【００３６】
本発明の別の実施態様によると、図６に示すように、横断方向（Ｙ）に沿って延びる連結片５と、上記に定義した複数の雄端子１０とを備える製品３が提供される。各雄端子は、連結片５に機械的に取り付けられている。
【００３７】
本発明の別の実施態様によると、上記した雄端子１０を製造するための製造方法が提供される。
【００３８】
通常、雄端子１０は、バッチによって、すなわち、既に述べた連結片５に取り付けられた、多数の雄電気端子１０として製造される。
【００３９】
所望の厚みを有する裸金属薄板に対して、型抜き工程を用いることで、図３に図示されるような、複数の平坦な型打ちされた金属薄板２０が作られる。複数の同型に型打ちされた金属薄板２０は、連結片５に沿って、所定の位置に取り付けられている。
【００４０】
該形成工程は、連続する形成操作を含み、図３、図４Ａ、図４Ｂ、及び図４Ｃを用いて以下に説明される。
【００４１】
単一の型打ちされた金属薄板２０は、平坦な表面を有し、かつ、
‐電線圧着部５２を形成するように適合された第一部分６１と、
‐位置決め部５１を形成するように適合された第二部分６２と、
‐移行部２を形成するように適合された第三部分６３と、
‐接合部１を形成するように適合された第四部分６４とを、
備える。
【００４２】
別の観点から見ると、単一の型打ちされた金属薄板２０は、
‐第三金属片１３を形成するように適合された、縦軸（Ｘ）に沿って延びる第一部材７１と、
‐第二金属片１２、移行部２の上表面の一方の半片１８、及び位置決め部５１の一方の側面２４を形成するように適合された、縦軸（Ｘ）に沿って延びる第二部材７２と、
‐移行部２の上表面の第二の半片１９及び位置決め部５１の他方の側面２３を形成するように適合された、縦軸（Ｘ）に沿って延びる第三部材７３と、
‐接合部１において第二継ぎ目無し片１２を形成し、位置決め部において底面２２を形成するように適合された第四部材７４とを、
備える。
【００４３】
該形成工程は、例えば図４Ａ乃至図４Ｃに示すように、少なくとも以下の操作を含む。
a‐第一部材７１を、縦軸と平行な第一折り曲げ軸（Ｆ１）を中心にしてほぼ１８０度の角度で折り曲げることで、第一部材７１は第三金属片１３を形成する（図４Ａの最上段の図を参照）。
ｂ‐第二部材７２を、接合部１において、縦軸と平行である第二折り曲げ軸（Ｆ２）を中心にしてほぼ１８０度の角度で折り曲げることで、第二部材７２は第一部材７１を抱き込む。この結果、図４Ａの中段の図に示されるように、接合部１において三層構造体となる。
ｃ‐第二部材７２を、位置決め部において、第二折り曲げ軸（Ｆ２）を中心にして９０度の角度で折り曲げる。
ｄ‐第三部材７３を、位置決め部５１において、図４Ｂの最下段の図に示されるように、縦軸と平行である第三折り曲げ軸（Ｆ３）を中心にして９０度の角度で折り曲げる。
【００４４】
所望の形状、特に位置決め部５１の形状、を得るためには、さらなる形成段階が必要である。図４Ｃに示すように、折曲段階を追加することにより、両半片２１０、２２０を、水平面ＸＹに向かって折り曲げることができ、その結果、位置決め部５１の上面２１を形成することができる。
【００４５】
全ての形成段階が行われると、図６に示すように、前述した連結片５と複数の雄電気端子１０を備える製品３が提供される。
【００４６】
さらに、一又は複数の雄端子１０は、取り付け橋部５７（図１及び図６参照）を切断又は破壊することにより、製品３から取り外すことができる。さらに、これにより生じた単体の雄端子１０は、前述した電線６の上に圧着させることができる。
【００４７】
継ぎ目１７は、上面２１内の他の部分、例えば側部に配置されてもよい。継ぎ目１７はまた、異なる湾曲部を備えてもよい。固定窓９は、他の部分、例えば側面２３、２４に配置されてもよく、当然ながら、複数の固定窓があってもよい。
【００４８】
図７は、前述の雄端子１０と、対応する雌端子４（図７に部分的に図示）を備える電気端子の組立品を示している。この雌端子４は、接合部１の第一表面３１と第二表面３２とにそれぞれ圧迫するように適合された第一雌端子表面４１と第二雌端子表面４２とをそれぞれ有する第一弾性部材４３と第二弾性部材４４を備える。
【００４９】
接合部１の先端１００は、第一継ぎ目無し片１１に属する第一斜面部１１０、第二継ぎ目無し片１２に属する第二斜面部１２０、及び第三継ぎ目無し片１３に属する第三斜面部１３０を有する斜面形状を備える。
【００５０】
端子表面３１、３２、４１、４２の上に継ぎ目１７がないことにより、電気接触の質が向上し、接合時又は非接合時の機械的損傷のリスクが低減される。これにより、端子の寿命が確実に延びる。
【００５１】
図５に示す、上記実施例の変形例において、第一部材２８は、好ましい実施例における第一部材７１よりも若干狭くなっているとともに、その他の点では、好ましい実施例と同様である。従って、第三金属片は、接合部１の厚さＥ１を規定する折り曲げられた側面リブ２９まで縮小する。
【００５２】
さらに、図５に示すように、第一継ぎ目無し片１１と第二継ぎ目無し片１２の間には、追加的スペーサ６３を挿入することもできる。この追加的スペーサ６３は、端子の中には残さない拡張用の工具とすることもできるし、雄端子１０の中に残す追加的部品とすることもできる。この変形例においては、第一継ぎ目無し片１１と第二継ぎ目無し片１２の厚さは、厚さＥ１の三分の一とは異なることに注目すべきである。追加的スペーサ６３の厚さ又は側面リブ２９の厚さは、厚さＥ１の三分の一と比べて厚く又は薄くすることができる。金属薄板２０の厚さは、接合部１の所望の厚さＥ１にかかわらず、例えば、減ずることが可能である。
【符号の説明】
【００５３】
１  接合部
２  移行部
３  製品
４  雌電気端子、雌端子
５  連結片
６  電線
９  固定窓
１０  雄電気端子、雄端子
１１  第一継ぎ目無し片、第一金属片、第一片
１２  第二継ぎ目無し片、第二金属片、第二片
１３  第三継ぎ目無し片、第三金属片、第三片
１３Ｂ  部分
１４  第一湾曲側部、側部
１５  第二湾曲側部、側部
１７  継ぎ目
１７Ａ  接合部継ぎ目
１７Ｂ  移行部継ぎ目
１７C  位置決め部継ぎ目
１７T  横断部
１８  隣接半片
１９  隣接半片
２０  金属薄板
２１  上面
２２  底面
２３  側面
２４  側面
２５  テーパー部
２８  第一部材
２９  側面リブ
３１  端子表面  上部接触表面、第一表面、上部表面
３２  端子表面  底部接触表面、第二表面、底部表面
４１  第一雌端子表面
４２  第二雌端子表面
４３  第一弾性部材
４４  第二弾性部材
５１  位置決め部
５２  電線圧着部、圧着部、電線連結部
５４  第一脚部
５５  第二脚部
５６  取り付け結合部
５７  取り付け橋部
６１  第一部分
６２  第二部分
６３  第三部分
６４  第四部分
７１  第一部材
７２  第二部材
７３  第三部材
７４  第四部材
１００  先端
２１０  半片
２２０  半片
Ｗ１  雄端子幅
Ｅ１  雄端子厚さ
（Ｘ）  縦軸
（Ｆ１）  第一折り曲げ軸
（Ｆ２）  第二折り曲げ軸
（Ｆ３）  第三折り曲げ軸
【図１】
2013537697.tif 000003
【図２Ａ】
2013537697.tif 000004
【図２Ｂ】
2013537697.tif 000005
【図３】
2013537697.tif 000006
【図４Ａ】
2013537697.tif 000007
【図４Ｂ】
2013537697.tif 000008
【図４Ｃ】
2013537697.tif 000009
【図５】
2013537697.tif 000010
【図６】
2013537697.tif 000011
【図７】
2013537697.tif 000012
【国際調査報告】
2013537697.tif 000013
2013537697.tif 000014
2013537697.tif 000015